(57)【要約】【課題】ユーザが再生したい動画コンテンツを、容易に選択することができる遠隔操作装置を提供すること。【解決手段】動画コンテンツ再生装置が、再生する動画コンテンツを、ユーザが選択するための遠隔操作装置であって、タッチパネルと、表示部と、タッチパネルに対するタッチ操作による方向指示を示す情報を取得する操作取得部と、操作取得部が、方向指示を示す情報を取得すると、該取得した方向指示を示す情報に従い、表示部に表示された複数の動画コンテンツのうちの一つを選択し、フォーカスされた動画コンテンツとするフォーカスコンテンツ選択部と、フォーカスコンテンツ選択部が、フォーカスされた動画コンテンツとする動画コンテンツを選択すると、該動画コンテンツのダイジェスト映像を取得し、表示部に表示させるダイジェスト再生部と、を備えることを特徴とする。【選択図】図１
2014199989.tif 000002
【特許請求の範囲】
【請求項１】
動画コンテンツ再生装置が、再生する動画コンテンツを、ユーザが選択するための遠隔操作装置であって、
タッチパネルと、
表示部と、
前記タッチパネルに対するタッチ操作による方向指示を示す情報を取得する操作取得部と、
前記操作取得部が、前記方向指示を示す情報を取得すると、該取得した方向指示を示す情報に従い、前記表示部に表示された複数の動画コンテンツのうちの一つを選択し、フォーカスされた動画コンテンツとするフォーカスコンテンツ選択部と、
前記フォーカスコンテンツ選択部が、フォーカスされた動画コンテンツとする動画コンテンツを選択すると、該動画コンテンツのダイジェスト映像を取得し、前記表示部に表示させるダイジェスト再生部と、
を備えることを特徴とする遠隔操作装置。
【請求項２】
前記動画コンテンツは、グループ分けされており、
前記方向指示は、前記グループの変更に対応する第１の方向指示と、前記グループ内での動画コンテンツの変更に対応する第２の方向指示とを含み、
前記フォーカスコンテンツ選択部は、前記操作取得部が前記第２の方向指示を取得したときに、前記フォーカスコンテンツ選択部がフォーカスされた動画コンテンツとして選択した動画コンテンツの、前記グループ内における順序が１つ前と、順序が１つ後の動画コンテンツの代表画像を、前記ダイジェスト映像に加えて前記表示部に表示させる
ことを特徴とする請求項１に記載の遠隔操作装置。
【請求項３】
前記フォーカスコンテンツ選択部は、前記ダイジェスト再生部がダイジェスト映像の再生を終了すると、それまでのフォーカスされた動画コンテンツとは異なる動画コンテンツを選択して、フォーカスされた動画コンテンツとする
ことを特徴とする請求項１又は請求項２のいずれかに記載の遠隔操作装置。
【請求項４】
前記動画コンテンツは、グループ分けされており、
前記方向指示は、前記グループの変更に対応する第１の方向指示と、前記グループ内での動画コンテンツの変更に対応する第２の方向指示とを含み、
前記フォーカスコンテンツ選択部は、前記ダイジェスト再生部がダイジェスト映像の再生を終了したときに、それまでのフォーカスされた動画コンテンツとは異なる動画コンテンツを、フォーカスされた動画コンテンツとして選択する際に、前記操作取得部が取得した前記第２の方向指示のうち、最後に取得した第２の方向指示に従い、動画コンテンツを選択する
ことを特徴とする請求項３に記載の遠隔操作装置。
【請求項５】
前記タッチパネルから入力された文字列を取得する文字列取得部を備え、
前記表示された複数の動画コンテンツは、前記文字列を検索キーとした検索結果であること
を特徴とする請求項１に記載の遠隔操作装置。
【請求項６】
動画コンテンツを再生する動画コンテンツ再生装置と、前記動画コンテンツ再生装置が再生する動画コンテンツを、ユーザが選択するための遠隔操作装置とを具備する遠隔操作システムであって、
前記遠隔操作装置は、
タッチパネルと、
表示部と、
前記タッチパネルに対するタッチ操作による方向指示を示す情報を取得する操作取得部と、
前記操作取得部が、前記方向指示を示す情報を取得すると、該取得した方向指示を示す情報に従い、前記表示部に表示された複数の動画コンテンツのうちの一つを選択し、フォーカスされた動画コンテンツとするフォーカスコンテンツ選択部と、
前記フォーカスコンテンツ選択部が、フォーカスされた動画コンテンツとする動画コンテンツを選択すると、該動画コンテンツのダイジェスト映像を取得し、前記表示部に表示させるダイジェスト再生部と、
を具備することを特徴とする遠隔操作システム。
【請求項７】
動画コンテンツを再生する動画コンテンツ再生装置に対して、再生する動画コンテンツを、ユーザが選択するための遠隔操作装置における遠隔操作方法であって、
前記遠隔操作装置が備えるタッチパネルに対するタッチ操作による方向指示を示す情報を取得する操作取得部として機能させる第１の過程と、
前記操作取得部が、前記方向指示を示す情報を取得すると、該取得した方向指示を示す情報に従い、前記遠隔操作装置が備える表示部に表示された複数の動画コンテンツのうちの一つを選択し、フォーカスされた動画コンテンツとするフォーカスコンテンツ選択部として機能させる第２の過程と、
前記フォーカスコンテンツ選択部が、フォーカスされた動画コンテンツとする動画コンテンツを選択すると、該動画コンテンツのダイジェスト映像を取得し、前記表示部に表示させるダイジェスト再生部として機能させる第３の過程と、
を有することを特徴とする遠隔操作方法。
【請求項８】
タッチパネルと、表示部とを備え、かつ、動画コンテンツを再生する動画コンテンツ再生装置に対して、再生する動画コンテンツを、ユーザが選択するための遠隔操作装置のコンピュータを、
前記遠隔操作装置が備えるタッチパネルに対するタッチ操作による方向指示を示す情報を取得する操作取得部、
前記操作取得部が、前記方向指示を示す情報を取得すると、該取得した方向指示を示す情報に従い、前記遠隔操作装置が備える表示部に表示された複数の動画コンテンツのうちの一つを選択し、フォーカスされた動画コンテンツとするフォーカスコンテンツ選択部、
前記フォーカスコンテンツ選択部が、フォーカスされた動画コンテンツとする動画コンテンツを選択すると、該動画コンテンツのダイジェスト映像を取得し、前記表示部に表示させるダイジェスト再生部、
として機能させるためのプログラム。
【発明の詳細な説明】
【技術分野】
【０００１】
この発明は、遠隔操作装置、遠隔操作システム、遠隔操作方法及びプログラムに関する。
【背景技術】
【０００２】
従来、ユーザが入力したキーワードなどに基づき、映像などのコンテンツを検索する方法がある。例えば、特許文献１には、入力された作品名に基づいて検索して、作品を説明する説明文を取得し、該説明文から特定記載を抽出し、該特定記載に基づいて関連作品を特定することが記載されている。
【先行技術文献】
【特許文献】
【０００３】
【特許文献１】特開２０１２−７９０５５号公報
【発明の概要】
【発明が解決しようとする課題】
【０００４】
しかしながら、特許文献１に記載のコンテンツの検索方法は、作品名等のキーワードを入力する必要があるため、家庭用のテレビジョン受像装置等、入力手段として、リモートコントローラ等の、文字入力に煩雑な操作を要する手段のみを備えている機器では、視聴者が再生したいコンテンツを選択するための操作が煩雑になってしまうという問題がある。
【０００５】
本発明は、このような問題に鑑みてなされたものであり、ユーザが再生したい動画コンテンツを、容易に選択することができる遠隔操作装置、遠隔操作システム、遠隔操作方法及びプログラムを提供する。
【課題を解決するための手段】
【０００６】
（１）動画コンテンツ再生装置が、再生する動画コンテンツを、ユーザが選択するための遠隔操作装置であって、タッチパネルと、表示部と、前記タッチパネルに対するタッチ操作による方向指示を示す情報を取得する操作取得部と、前記操作取得部が、前記方向指示を示す情報を取得すると、該取得した方向指示を示す情報に従い、前記表示部に表示された複数の動画コンテンツのうちの一つを選択し、フォーカスされた動画コンテンツとするフォーカスコンテンツ選択部と、前記フォーカスコンテンツ選択部が、フォーカスされた動画コンテンツとする動画コンテンツを選択すると、該動画コンテンツのダイジェスト映像を取得し、前記表示部に表示させるダイジェスト再生部と、を備えることを特徴とする遠隔操作装置である。
【０００７】
（２）前記動画コンテンツは、グループ分けされており、前記方向指示は、前記グループの変更に対応する第１の方向指示と、前記グループ内での動画コンテンツの変更に対応する第２の方向指示とを含み、前記フォーカスコンテンツ選択部は、前記操作取得部が前記第２の方向指示を取得したときに、前記フォーカスコンテンツ選択部がフォーカスされた動画コンテンツとして選択した動画コンテンツの、前記グループ内における順序が１つ前と、順序が１つ後の動画コンテンツの代表画像を、前記ダイジェスト映像に加えて前記表示部に表示させることを特徴とする（１）に記載の遠隔操作装置である。
（３）前記フォーカスコンテンツ選択部は、前記ダイジェスト再生部がダイジェスト映像の再生を終了すると、それまでのフォーカスされた動画コンテンツとは異なる動画コンテンツを選択して、フォーカスされた動画コンテンツとすることを特徴とする（１）又は（２）のいずれかに記載の遠隔操作装置である。
【０００８】
（４）前記動画コンテンツは、グループ分けされており、前記方向指示は、前記グループの変更に対応する第１の方向指示と、前記グループ内での動画コンテンツの変更に対応する第２の方向指示とを含み、前記フォーカスコンテンツ選択部は、前記ダイジェスト再生部がダイジェスト映像の再生を終了したときに、それまでのフォーカスされた動画コンテンツとは異なる動画コンテンツを、フォーカスされた動画コンテンツとして選択する際に、前記操作取得部が取得した前記第２の方向指示のうち、最後に取得した第２の方向指示に従い、動画コンテンツを選択することを特徴とする（３）に記載の遠隔操作装置である。
（５）前記タッチパネルから入力された文字列を取得する文字列取得部を備え、前記表示された複数の動画コンテンツは、前記文字列を検索キーとした検索結果であることを特徴とする（１）に記載の遠隔操作装置である。
【０００９】
（６）動画コンテンツを再生する動画コンテンツ再生装置と、前記動画コンテンツ再生装置が再生する動画コンテンツを、ユーザが選択するための遠隔操作装置とを具備する遠隔操作システムであって、前記遠隔操作装置は、タッチパネルと、表示部と、前記タッチパネルに対するタッチ操作による方向指示を示す情報を取得する操作取得部と、前記操作取得部が、前記方向指示を示す情報を取得すると、該取得した方向指示を示す情報に従い、前記表示部に表示された複数の動画コンテンツのうちの一つを選択し、フォーカスされた動画コンテンツとするフォーカスコンテンツ選択部と、前記フォーカスコンテンツ選択部が、フォーカスされた動画コンテンツとする動画コンテンツを選択すると、該動画コンテンツのダイジェスト映像を取得し、前記表示部に表示させるダイジェスト再生部と、を具備することを特徴とする遠隔操作システムである。
【００１０】
（７）動画コンテンツを再生する動画コンテンツ再生装置に対して、再生する動画コンテンツを、ユーザが選択するための遠隔操作装置における遠隔操作方法であって、前記遠隔操作装置が備えるタッチパネルに対するタッチ操作による方向指示を示す情報を取得する操作取得部として機能させる第１の過程と、前記操作取得部が、前記方向指示を示す情報を取得すると、該取得した方向指示を示す情報に従い、前記遠隔操作装置が備える表示部に表示された複数の動画コンテンツのうちの一つを選択し、フォーカスされた動画コンテンツとするフォーカスコンテンツ選択部として機能させる第２の過程と、前記フォーカスコンテンツ選択部が、フォーカスされた動画コンテンツとする動画コンテンツを選択すると、該動画コンテンツのダイジェスト映像を取得し、前記表示部に表示させるダイジェスト再生部として機能させる第３の過程と、を有することを特徴とする遠隔操作方法である。
【００１１】
（８）タッチパネルと、表示部とを備え、かつ、動画コンテンツを再生する動画コンテンツ再生装置に対して、再生する動画コンテンツを、ユーザが選択するための遠隔操作装置のコンピュータを、前記遠隔操作装置が備えるタッチパネルに対するタッチ操作による方向指示を示す情報を取得する操作取得部、前記操作取得部が、前記方向指示を示す情報を取得すると、該取得した方向指示を示す情報に従い、前記遠隔操作装置が備える表示部に表示された複数の動画コンテンツのうちの一つを選択し、フォーカスされた動画コンテンツとするフォーカスコンテンツ選択部、前記フォーカスコンテンツ選択部が、フォーカスされた動画コンテンツとする動画コンテンツを選択すると、該動画コンテンツのダイジェスト映像を取得し、前記表示部に表示させるダイジェスト再生部、として機能させるためのプログラムである。
【発明の効果】
【００１２】
本発明によれば、ユーザは再生したい動画コンテンツを、容易に選択することができる。
【図面の簡単な説明】
【００１３】
【図１】第１の実施形態における遠隔操作システムの利用状況を示す外観図である。
【図２】第１の実施形態における動画コンテンツ再生装置のコンテンツ選択を説明するイメージ図である。
【図３】第１の実施形態におけるコンテンツサーバの構成を示す概略ブロック図である。
【図４】第１の実施形態における遠隔操作装置の構成を示す概略ブロック図である。
【図５】第１の実施形態における動画コンテンツ再生装置の構成を示す概略ブロック図である。
【図６】第１の実施形態におけるメタデータ記憶部が記憶するメタデータの例を示す表である。
【図７】第１の実施形態における遠隔操作装置の選択画面生成部の動作を説明するフローチャートである。
【図８】第１の実施形態における動画コンテンツ再生装置の選択画面生成部の動作を説明するフローチャートである。
【図９】第１の実施形態における選択画面生成部が生成する選択画面と方向指示との関係を説明する図である。
【発明を実施するための形態】
【００１４】
[第１の実施形態]
以下、図面を参照して、本発明の実施の形態について説明する。図１は、第１の実施形態における遠隔操作システム１０の利用状況を示す外観図である。図１に示すように、遠隔操作システム１０は、コンテンツサーバ１、動画コンテンツ再生装置２、遠隔操作装置３、表示装置４、無線ＬＡＮ（Local Area Network）アクセスポイント６を含んで構成される。遠隔操作装置３は、無線ＬＡＮアクセスポイント６と、無線ＬＡＮによって、動画コンテンツ再生装置２と接続しているが、これに限られない。例えば、遠隔操作装置３は、直接接続（Wi-Fi direct、登録商標）を用いて、直接動画コンテンツ再生装置２と接続されていてもよい。また、動画コンテンツ再生装置２と、コンテンツサーバ１とは、ネットワーク５により、通信可能に接続される。なお、本実施形態では、遠隔操作システム１０は、１つの遠隔操作装置３と、１つの動画コンテンツ再生装置２とを含んでいるが、複数の動画コンテンツ再生装置２を含んでいてもよい。その場合、複数の動画コンテンツ再生装置２が、１つのコンテンツサーバ１と通信可能に接続される。
【００１５】
コンテンツサーバ１は、動画コンテンツ再生装置２からの要求に従い、ネットワーク５を介して、動画コンテンツを動画コンテンツ再生装置２に送信する。このとき、動画コンテンツ再生装置２は、動画コンテンツをユーザに選択させるための選択画面を生成し、その選択画面を表示装置４に表示させる。また、動画コンテンツ再生装置２は、ユーザが選択しようとする動画コンテンツのダイジェスト映像を、ネットワーク５を介して、コンテンツサーバ１から取得して表示装置４に再生する。また、動画コンテンツ再生装置２は、別の動画コンテンツの代表画像の一部と、さらに別の動画コンテンツの代表画像の一部とを、ダイジェスト映像とともに表示装置４に表示する。
【００１６】
動画コンテンツ再生装置２は、遠隔操作装置３からの要求に従い、ネットワーク５を介して、動画コンテンツのダイジェスト映像を遠隔操作装置３に送信する。遠隔操作装置３は、タッチパネル３０１付の表示部３０９を備える。遠隔操作装置３は、例えば、多機能携帯電話端末（スマートフォン）や、タブレットＰＣ（Personal Computer）であるが、これらに限定されない。遠隔操作装置３は、ユーザのタッチパネル３０１へのタッチ操作に従い、コンテンツサーバ１が記憶する動画コンテンツの中から再生するものを選択する。このとき、遠隔操作装置３は、動画コンテンツをユーザに選択させるための選択画面を生成し、その選択画面を表示部３０９に表示させる。
【００１７】
遠隔操作装置３は、ユーザが選択しようとする動画コンテンツのダイジェスト映像を、ネットワーク５を介して、動画コンテンツ再生装置２から取得して表示部３０９に再生する。また、遠隔操作装置３は、別の動画コンテンツの代表画像の一部と、さらに別の動画コンテンツの代表画像の一部とを、ダイジェスト映像とともに表示部３０９に表示する。遠隔操作装置３は、上下左右の方向指示を各方向とは逆方向へのフリック操作に、決定指示を長押し操作に対応させ、タッチ操作によって行われたこれらの指示を示す情報を動画コンテンツ再生装置２に送信する。
【００１８】
なお、指示を示す情報は、ネットワーク５を介して送信されるが、これに限定されない。また、方向指示や、決定指示に対応させるタッチ操作は、フリック操作や長押し操作に限定されない。例えば、長押し操作にタップ操作を対応させてもよいし、フリック操作の代わりにスワイプ操作を対応させてもよい。また、遠隔操作装置３へのタッチ操作は、方向指示や、決定指示以外の指示に対応付けられてもよい。また、本実施形態において、上下方向に対する方向指示は、長手方向の手前側にフリック操作した場合を下方向へのフリック操作、その逆を上方向へのフリック操作とする。同様に、左右方向に対する方向指示は、遠隔操作装置３に向かって短手方向右手側にフリック操作した場合を、右方向へのフリック操作、遠隔操作装置３に向かって短手方向左手側にフリック操作した場合を、左手方向へのフリック操作とするが、これらに限定されない。
【００１９】
図１に示す例では、遠隔操作装置３は、選択画面を表示している。図１の選択画面の例は、動画コンテンツのダイジェスト映像ＤＧ１１と、別の動画コンテンツの代表画像の一部Ｄ１２と、さらに別の動画コンテンツの代表画像の一部Ｄ１６とを含む。
【００２０】
動画コンテンツ再生装置２は、例えば、ＳＴＢ（Set Top Box）である。動画コンテンツ再生装置２は、遠隔操作装置３からの信号に従い、遠隔操作装置３の表示部３０９に表示されている選択画面と同じ選択画面の映像信号を、表示装置４に入力する。動画コンテンツ再生装置２は、遠隔操作装置３で選択された動画コンテンツを、ネットワーク５を介して、コンテンツサーバ１から取得して再生する。動画コンテンツ再生装置２は、再生した動画コンテンツの映像信号および音声信号を、表示装置４に入力する。
【００２１】
表示装置４は、例えば、テレビジョン受像機であり、入力された映像信号に従い、映像を表示し、入力された音声信号に従い、音声を出力する。図１に示す例では、表示装置４は、遠隔操作装置３の表示部３０９に表示された選択画面と同じ選択画面を表示している。なお、動画コンテンツ再生装置２と、表示装置４とは、ＨＤＭＩ（High Definition Multimedia Interface、登録商標）ケーブルなど、映像信号と音声信号とを伝達可能な手段で接続される。
ネットワーク５は、インターネットなどのパケット交換ネットワークであるが、これに限らず、遠隔操作装置３と、動画コンテンツ再生装置２と、コンテンツサーバ１とを双方向に通信可能に接続する通信路であればよい。
【００２２】
図２は、遠隔操作装置３におけるコンテンツ選択を説明する概念図である。
図２において、符号１１〜１６、２１〜２７、５１〜５９は、それぞれ動画コンテンツを示す。動画コンテンツ１１〜５９は、図２に示すように、列方向（左右方向）と、行方向（上下方向）とに、仮想的に配列されている。図２では、動画コンテンツ１１〜１６は、同じ行に、列方向に符号順に配置されている。
【００２３】
なお、本実施形態では、動画コンテンツは、カテゴリーに応じてグループ分けされている。また、動画コンテンツの各々は、カテゴリー毎に順序付けされている。カテゴリーとしては、動画コンテンツのジャンル、製作者、配信者、内容などのいずれを用いてもよい。この仮想的な配列では、同じカテゴリーの動画コンテンツは、同じ行に配置されている。また、同じ行の中では、各動画コンテンツは、カテゴリー毎の順序付けに従い配置されている。すなわち、図２において、符号１１〜１６が付された動画コンテンツは、同じカテゴリーに分類されている。また、その順序付けは、動画コンテンツ１１、１２、１３、１４、１５、１６の順である。符号２１〜２７が付された動画コンテンツ、符号５１〜５９が付された動画コンテンツについても同様である。
【００２４】
同様に、動画コンテンツ２１〜２７は、動画コンテンツ１１〜１６の一つ下の行に、列方向に符号順に配置されている。同様に、動画コンテンツ５１〜５９は、動画コンテンツ２１〜２７のいくつか下の行に、列方向に符号順に配置されている。ユーザは、遠隔操作装置３のタッチパネル３０１に対してフリック操作を行い、上下左右方向のいずれかを指示することで、フォーカスされる動画コンテンツを、この配列に従い切り替えていくことができる。
【００２５】
図２では、一点鎖線の矩形Ｇ１は、その中の動画コンテンツ１１がフォーカスされていることを示す。例えば、図２に示すように、動画コンテンツ１１がフォーカスされているときに、右方向が指示されると、該配列において、動画コンテンツ１１の右隣にある動画コンテンツ１２が、フォーカスされる動画コンテンツとなる。また、下方向が指示されると、該配列において、動画コンテンツ１１の下にある動画コンテンツ２１が、フォーカスされる動画コンテンツとなる。すなわち、上下方向の指示（第１の方向指示）がカテゴリーの変更に対応し、左右方向の指示（第２の方向指示）がカテゴリー内での動画コンテンツの変更に対応する。
【００２６】
また、破線の矩形（符号１６、２７、５１、５９）は、この仮想的な配列における端が、逆側の端に紐付けられていることを示す。例えば、動画コンテンツ１１の左隣に描かれている破線で示した矩形１６は、仮想的な配列の右端にある動画コンテンツ１６が、同じ行の左端にある動画コンテンツ１１の左側に紐付けられていることを示す。動画コンテンツ１１がフォーカスされているときに、左方向が指示されると、該配列において、動画コンテンツ１１の左隣に紐付けられている動画コンテンツ１６が、フォーカスされる動画コンテンツとなる。同様に、動画コンテンツ１１の上に描かれている破線で示した矩形５１は、仮想的な配列の下端にある動画コンテンツ５１が、同じ列の上端にある動画コンテンツ１１の上側に紐付けられていることを示す。したがって、動画コンテンツ１１がフォーカスされているときに、上方向を指示すると、該配列において、動画コンテンツ１１の上側に紐付けられている動画コンテンツ５１が、フォーカスされる動画コンテンツとなる。
【００２７】
図３は、コンテンツサーバ１の構成を示す概略ブロック図である。図３に示すように、コンテンツサーバ１は、コンテンツ登録部１０１、動画コンテンツ記憶部１０２、ダイジェスト映像生成部１０３、ダイジェスト映像記憶部１０４、ストリーミング部１０５、通信部１０６、メタデータ記憶部１０７、ファイル転送部１０８を含んで構成される。
【００２８】
コンテンツ登録部１０１は、外部から入力された動画コンテンツを、動画コンテンツ記憶部１０２に記憶させる。また、コンテンツ登録部１０１は、外部から入力されたメタデータをメタデータ記憶部１０７に記憶させる。なお、このメタデータは、動画コンテンツ記憶部１０２に記憶させた動画コンテンツに関するメタデータである。このメタデータは、コンテンツ識別番号、コンテンツ名、コンテンツＵＲＬ（Universal Resource Locator）、ダイジェストＵＲＬ、代表画像を含む。また、このメタデータは、図２に示した仮想配列における動画コンテンツ間の位置関係を示す情報として、カテゴリーと順序とを含む。なお、メタデータの詳細については後述する。
【００２９】
動画コンテンツ記憶部１０２は、動画コンテンツを記憶する。ダイジェスト映像生成部１０３は、動画コンテンツ記憶部１０２が記憶する動画コンテンツ各々のダイジェスト映像を生成し、ダイジェスト映像記憶部１０４に記憶させる。なお、本実施形態におけるダイジェスト映像は、動画コンテンツの中から複数のシーンを抽出して連結したものであるが、これに限定されない。ダイジェスト映像記憶部１０４は、動画コンテンツ記憶部１０２が記憶する動画コンテンツ各々のダイジェスト映像を記憶する。
【００３０】
ストリーミング部１０５は、遠隔操作装置３からの要求に従い、ダイジェスト映像記憶部１０４が記憶するダイジェスト映像を、要求元の遠隔操作装置３にストリーミングする。また、ストリーミング部１０５は、動画コンテンツ再生装置２からの要求に従い、動画コンテンツ記憶部１０２が記憶する動画コンテンツ、あるいは、ダイジェスト映像記憶部１０４が記憶するダイジェスト映像を、要求元の動画コンテンツ再生装置２にストリーミングする。通信部１０６は、ネットワーク５と接続され、遠隔操作装置３及び動画コンテンツ再生装置２との通信を行う。なお、ストリーミング部１０５及びファイル転送部１０８は、通信部１０６を介して、遠隔操作装置３及び動画コンテンツ再生装置２との通信を行う。
【００３１】
図４は、遠隔操作装置３の構成を示す概略ブロック図である。図４に示すように、遠隔操作装置３は、タッチパネル３０１、操作取得部３０２、通信部３０３、メタデータ取得部３０４、メタデータ記憶部３０５、選択画面生成部３０６、ダイジェスト再生部３０７、画像合成部３０８、表示部３０９、文字列取得部３１０を含んで構成される。
【００３２】
タッチパネル３０１は、表示部３０９のパネルに重ねて配置され、抵抗膜方式又は静電容量方式を用いてユーザの指又はペンがタッチパネル３０１上に触れた位置を検出する。
操作取得部３０２は、タッチパネル３０１からタッチ位置を示す情報を取得する。操作取得部３０２は、タッチ位置を示す情報に基づいて、タッチ操作の種別を判別する。操作取得部３０２は、判別したタッチ操作の種別に対応する方向指示や決定指示を示す情報を生成する。
【００３３】
具体的には、操作取得部３０２は、例えば、タッチ操作として左方向にフリック操作が行われた場合、左方向とは逆の右方向に対する方向指示を示す情報を生成し、タッチ操作として長押し操作が行われた場合、決定指示を示す情報を生成するが、これらに限定されない。操作取得部３０２は、方向指示を示す情報を、選択画面生成部３０６に出力する。また、操作取得部３０２は、ある時は方向指示を示す情報、また別のある時は決定指示を示す情報を、通信部３０３に出力し、ネットワーク５を介して動画コンテンツ再生装置２に送信する。さらに、操作取得部３０２は、表示部３０９に表示されたソフトウェアキーボードに対してタッチ操作が行われた場合、タッチ操作によって入力された文字列を、文字列取得部３１０に出力する。
文字列取得部３１０は、取得した文字列を、通信部３０３へ出力し、ネットワーク５を介して動画コンテンツ再生装置２に送信する。
【００３４】
選択画面生成部３０６（フォーカスコンテンツ選択部）は、そのときフォーカスされている動画コンテンツを示す選択画面を生成し、フォーカスされている動画コンテンツのダイジェスト映像の再生をダイジェスト再生部３０７に指示する。選択画面生成部３０６は、操作取得部３０２から方向指示を示す情報を取得したときは、フォーカスされる動画コンテンツを変更し、選択画面の生成とダイジェスト映像の再生指示とをし直す。選択画面生成部３０６の詳細については、後述する。
【００３５】
メタデータ記憶部３０５は、動画コンテンツに関するメタデータを記憶する。メタデータ取得部３０４は、動画コンテンツ再生装置２のメタデータ記憶部２０５から、メタデータを取得してメタデータ記憶部３０５に記憶させる。なお、本実施形態において、メタデータ取得部３０４は、遠隔操作装置３に方向指示を示すタッチ操作が行われる度に、動画コンテンツ再生装置２からメタデータを取得するが、これに限定されない。通信部３０３は、ネットワーク５と接続され、動画コンテンツ再生装置２との通信を行う。なお、メタデータ取得部３０４、ダイジェスト再生部３０７は、通信部３０３を介して、動画コンテンツ再生装置２との通信を行う。
【００３６】
ダイジェスト再生部３０７は、選択画面生成部３０６からダイジェスト映像の再生を指示されると、動画コンテンツ再生装置２からダイジェスト映像を取得して、再生する。より具体的には、選択画面生成部３０６からダイジェスト映像の再生指示が通知されると、ダイジェスト再生部３０７は、ダイジェスト映像の取得を動画コンテンツ再生装置２に要求する。ダイジェスト再生部３０７は、動画コンテンツ再生装置２から、コンテンツサーバ１がストリーミングしたダイジェスト映像を受信すると、それを再生する。ダイジェスト再生部３０７は、再生結果の映像信号を画像合成部３０８に入力する。
【００３７】
画像合成部３０８は、選択画面生成部３０６が生成した選択画面に、ダイジェスト再生部３０７による再生結果の映像信号が表す映像を重畳し、重畳画像を生成する。画像合成部３０８は、生成した重畳画像を表す映像信号を表示部３０９に出力して表示させる。
表示部３０９は、液晶ディスプレイ、有機ＥＬディスプレイ等の表示デバイスを有し、画像合成部３０８から入力された映像信号を表示する。
文字列取得部３１０は、通信部２０３から、ネットワーク５を介して、文字列を取得する。文字列取得部３１０は、文字列を取得すると、メタデータ取得部３０４に、該文字列を含むメタデータのみを、コンテンツサーバ１から取得させる。
【００３８】
図５は、動画コンテンツ再生装置２の構成を示す概略ブロック図である。同図において、図４における各部に対応する部分には、同一の符号（３０８）を付し、説明を省略する。図５に示すように、動画コンテンツ再生装置２は、出力部２０１、コンテンツ再生部２０２、通信部２０３、メタデータ取得部２０４、メタデータ記憶部２０５、選択画面生成部２０６、ダイジェスト再生部２０７、文字列記憶部２０８、画像合成部３０８を含んで構成される。
【００３９】
文字列記憶部２０８は、通信部２０３から、ネットワーク５を介して、文字列を取得すると、文字列を記憶する。
メタデータ取得部２０４は、文字列記憶部２０８から、文字列を読み込む。メタデータ取得部２０４は、読み込んだ文字列を検索キーとして、該文字列を含むメタデータのみを、通信部２０３から、ネットワーク５を介して取得する。メタデータ取得部２０４は、取得したメタデータを、メタデータ記憶部３０５に記憶させる。
【００４０】
メタデータ記憶部２０５は、遠隔操作装置３のメタデータ取得部３０４からの、メタデータ取得要求に従い、メタデータをメタデータ取得部３０４に送信する。
選択画面生成部２０６は、ネットワーク５を介して、通信部２０３から、ある時は方向指示を示す情報、また別のある時は決定指示を示す情報を取得する。選択画面生成部２０６は、方向指示を示す情報を取得すると、フォーカスされる動画コンテンツを変更し、選択画面の生成とダイジェスト映像の再生指示とをし直す。  また、選択画面生成部２０６は、そのときフォーカスされている動画コンテンツを示す選択画面を生成し、フォーカスされている動画コンテンツのダイジェスト映像の再生をダイジェスト再生部２０７に指示する。
【００４１】
選択画面生成部２０６は、通信部２０３から決定指示を示す情報を取得すると、フォーカスされている動画コンテンツの再生を、コンテンツ再生部２０２に指示する。なお、コンテンツ再生部２０２が、動画コンテンツを再生中に、遠隔操作装置３から方向指示、決定指示のうちいずれかを示す情報を取得した場合、選択画面生成部２０６は、コンテンツ再生部２０２に、動画コンテンツの再生を停止させ、再び、選択画面の生成とダイジェスト映像の再生指示とをし直す。
【００４２】
より具体的には、ダイジェスト再生部２０７は、選択画面生成部２０６から、ダイジェスト映像の再生指示として、ダイジェスト映像のＵＲＬが通知されると、該ＵＲＬに基づき、ダイジェスト映像のストリーミングをコンテンツサーバ１に要求する。ダイジェスト再生部２０７は、コンテンツサーバ１がストリーミングしたダイジェスト映像を受信すると、それを再生する。それと同時に、ダイジェスト再生部２０７は、受信したダイジェスト映像を、通信部２０３から、ネットワーク５を介して、遠隔操作装置３に送信する。従って、遠隔操作装置３の表示部３０９、表示装置４に表示されている選択画面上のダイジェスト映像は、同じダイジェスト映像となる。
【００４３】
コンテンツ再生部２０２は、選択画面生成部２０６から動画コンテンツの再生を指示されると、コンテンツサーバ１から動画コンテンツを取得して、再生する。より具体的には、選択画面生成部２０６から動画コンテンツの再生指示として、該動画コンテンツのＵＲＬが通知されると、コンテンツ再生部２０２は、該ＵＲＬに基づき、動画コンテンツのストリーミングをコンテンツサーバ１に要求する。コンテンツ再生部２０２は、コンテンツサーバ１がストリーミングした動画コンテンツを受信すると、それを再生する。
【００４４】
また、コンテンツ再生部２０２は、選択画面生成部２０６から動画コンテンツの再生の停止を指示されると、動画コンテンツの再生を停止する。コンテンツ再生部２０２は、再生結果の映像信号と音声信号とを出力部２０１に入力する。出力部２０１は、コンテンツ再生部２０２から映像信号と音声信号とが入力されると、これらの信号を表示装置４に入力する。
出力部２０１は、コンテンツ再生部２０２から映像信号と音声信号とが入力されていないときは、画像合成部３０８から入力された映像信号と、ダイジェスト再生部２０７から入力された音声信号とを表示装置４に入力する。
【００４５】
図６は、メタデータ記憶部３０５が記憶するメタデータの例を示す図である。
図６に示すように、メタデータ記憶部３０５が記憶するメタデータは、各動画コンテンツに関する、コンテンツ識別番号と、コンテンツ名と、コンテンツＵＲＬと、ダイジェストＵＲＬと、代表画像とを含む。図６に示す例では、各行が１つの動画コンテンツに関するメタデータである。例えば、コンテンツ識別番号「００００３」の動画コンテンツのメタデータは、カテゴリー「１」、順序「１」、コンテンツ識別番号「００００３」、コンテンツ名「ＸＸＸＸＸＸ」、コンテンツＵＲＬ「００００３．ＸＸＸ」、ダイジェストＵＲＬ「ＤＧ＿００００３．ＸＸＸ」、代表画像「Ｄ＿００００３．ＸＸ」、・・・である。
【００４６】
ここでカテゴリーは、当該動画コンテンツが属するカテゴリーを識別する番号である。
順序は、カテゴリー内での当該動画コンテンツの順序を示す番号である。コンテンツ識別番号は、当該動画コンテンツを識別する番号である。コンテンツ名は、タイトルなど、当該動画コンテンツの名称である。コンテンツＵＲＬは、動画コンテンツを取得するためのＵＲＬである。ダイジェストＵＲＬは、ダイジェスト映像を取得するためのＵＲＬである。代表画像は、当該動画コンテンツの代表画像が格納されたファイルのファイル名である。なお、ここで、代表画像として、代表画像が格納されたファイルのファイル名を示しているが、代表画像が格納されたファイルもメタデータであり、メタデータ記憶部３０５が記憶している。なお、代表画像は、当該画像で、動画コンテンツをユーザが識別できるように、動画コンテンツの配信者や製作者が生成した画像である。
【００４７】
なお、図６の例では、メタデータ記憶部３０５が記憶するコンテンツＵＲＬ、ダイジェストＵＲＬは、「00003.XXX」というように、ＵＲＬのうちファイルを指定する部分のみをメタデータ記憶部３０５は記憶している。その他のプロトコル、サーバ、フォルダを指定する部分（例えば、「HTTP://aaa.aaa.aa/xxx/」）については、本実施形態では共通であり、メタデータ取得部３０４、ダイジェスト再生部３０７、コンテンツ再生部２０２などが記憶している。なお、プロトコル、サーバ、フォルダを指定する部分も、メタデータ記憶部３０５がコンテンツＵＲＬなどに含めて記憶するようにしてもよい。
【００４８】
図７は、遠隔操作装置３の動作を説明するフローチャートである。遠隔操作装置３のアプリケーションが起動されると、遠隔操作装置３は、まず、動画コンテンツ再生装置２に予め記憶されていた、動画コンテンツ再生装置２が電源を断たれる前のフォーカス位置を取得する（ＳＴ１００）。なお、ここで、フォーカス位置とは、フォーカスされている動画コンテンツのカテゴリーと、順序とからなる情報である。次に、選択画面生成部３０６は、遠隔操作装置３のタッチパネル３０１から、長押し操作による決定指示を示す情報を取得したか否かを判定する（ＳＴ１０１）。
【００４９】
決定指示を示す情報を取得したと判定されたとき（ＳＴ１０１−Ｙｅｓ）、選択画面生成部３０６は、ステップＳＴ１０２に遷移する。一方、ＳＴ１０１にて、決定指示を示す情報を取得していないと判定されたとき（ＳＴ１０１−Ｎｏ）、選択画面生成部３０６は、ＳＴ１０５に遷移する。ＳＴ１０１で、決定指示を示す情報を取得したと判定されたとき、遠隔操作装置３は、動画コンテンツ再生装置２に、決定指示を示す情報を送信する（ＳＴ１０２）。次に、選択画面生成部３０６は、ダイジェスト映像の再生停止を、ダイジェスト再生部３０７に指示する（ＳＴ１０３）。このとき、動画コンテンツ再生装置２は、コンテンツの再生を開始する。次に、選択画面生成部３０６は、遠隔操作装置３のタッチパネル３０１から、フリック操作による方向指示を示す情報を取得したか否かを判定する（ＳＴ１０４）。方向指示を示す情報を取得したと判定されたとき（ＳＴ１０４−Ｙｅｓ）、選択画面生成部３０６は、ＳＴ１０６に遷移する。このとき、動画コンテンツ再生装置２は、コンテンツの再生を停止する。方向指示を示す情報を取得していないと判定されたとき（ＳＴ１０４−Ｎｏ）、選択画面生成部３０６は、方向指示を示す情報を取得するまで待機する。
【００５０】
ＳＴ１０１で、決定指示を示す情報を取得していないと判定されたとき、選択画面生成部３０６は、遠隔操作装置３のタッチパネル３０１から、フリック操作による方向指示を示す情報を取得したか否かを判定する（ＳＴ１０５）。方向指示を示す情報を取得したと判定されたとき（ＳＴ１０５−Ｙｅｓ）、選択画面生成部３０６は、ＳＴ１０６に遷移する。方向指示を示す情報を取得していないと判定されたとき（ＳＴ１０５−Ｎｏ）、選択画面生成部３０６は、ＳＴ１１１に遷移する。ＳＴ１０５で、方向指示を示す情報を取得したと判定されたとき、選択画面生成部３０６は、取得した方向指示を示す情報に従い、フォーカス位置を変更する（ＳＴ１０６）。次に、遠隔操作装置３は、動画コンテンツ再生装置２に、方向指示を示す情報を送信する（ＳＴ１０７）。
【００５１】
次に、遠隔操作装置３のメタデータ取得部３０４は、メタデータを取得し、メタデータ記憶部３０５に記憶する（ＳＴ１０８）。次に、選択画面生成部３０６は、変更されたフォーカス位置に基づき、選択画面を生成する（ＳＴ１０９）。このとき、選択画面生成部３０６は、フォーカスされている動画コンテンツのコンテンツ名と、該動画コンテンツと同じカテゴリーで順序が一つ前と後の動画コンテンツの代表画像とを、メタデータ記憶部３０５から読み出し、これらを用いて選択画面を生成する。なお、具体的な選択画面については、後述する。
【００５２】
次に、選択画面生成部３０６は、フォーカスされている動画コンテンツのダイジェスト映像の再生開始を、ダイジェスト再生部３０７に指示し（ＳＴ１１０）、ステップＳＴ１０１に戻る。このとき、選択画面生成部３０６は、フォーカスされている動画コンテンツのダイジェストＵＲＬを、メタデータ記憶部３０５から読み出し、該ダイジェストＵＲＬをダイジェスト再生部３０７に通知することで、ダイジェスト映像の再生開始を行う。
【００５３】
ＳＴ１０５で、方向指示を示す情報を取得していないと判定されたとき、遠隔操作装置３は、文字列が入力されたか否かを判定する（ＳＴ１１１）。文字列が入力されたと判定されたとき（ＳＴ１１１−Ｙｅｓ）、遠隔操作装置３は、ＳＴ１１２に遷移する。文字列が入力されていないと判定されたとき（ＳＴ１１１−Ｎｏ）、遠隔操作装置３は、ＳＴ１１３に遷移する。ＳＴ１１１で、文字列が入力されたと判定されたとき、遠隔操作装置３は、文字列を検索キーとして設定し、動画コンテンツ再生装置２に送信する（ＳＴ１１２）。ＳＴ１１１で、文字列が入力されていないと判定されたとき、選択画面生成部３０６は、ダイジェスト映像の再生が終了したか否かを判定する（ＳＴ１１３）。終了していないと判定したとき（ＳＴ１１３−Ｎｏ）、選択画面生成部３０６は、ステップＳＴ１０１に戻る。また、ステップＳＴ１１３にて、終了したと判定したとき（ＳＴ１１３−Ｙｅｓ）、選択画面生成部３０６は、ステップＳＴ１０６に戻る。
【００５４】
なお、ステップＳＴ１０４またはステップＳＴ１１３から、ステップＳＴ１０６に遷移したときは、選択画面生成部３０６は、最後に取得した方向指示を示す情報に従い、フォーカス位置を変更する。これにより、一回、フリック操作でいずれかの方向を指示すれば、その方向に従い、ダイジェスト映像が順次再生されるので、視聴者は何度もフリック操作を行わなくてもよい。なお、ダイジェスト映像の再生を順次行って、カテゴリー内の全ての動画コンテンツのダイジェスト映像の再生が終わったときは、異なるカテゴリーにフォーカス位置を変更するようにしてもよい。
【００５５】
図８は、選択画面生成部２０６の動作を説明するフローチャートである。動画コンテンツ再生装置２の電源が投入されると、選択画面生成部２０６は、まず、動画コンテンツ再生装置２に予め記憶されていた、動画コンテンツ再生装置２が電源を断たれる前のフォーカス位置を取得する（ＳＴ２００）。次に、選択画面生成部２０６は、遠隔操作装置３から決定指示を示す情報を取得したか否かを判定する（ＳＴ２０１）。
【００５６】
決定指示を示す情報を取得したとき（ＳＴ２０１−Ｙｅｓ）、選択画面生成部２０６は、ＳＴ２０２に遷移する。決定指示を示す情報を取得してないとき（ＳＴ２０１−Ｎｏ）、選択画面生成部２０６は、ＳＴ２０６に遷移する。選択画面生成部２０６は、ダイジェスト映像の再生停止を、ダイジェスト再生部３０７に指示する（ＳＴ２０２）。次に、選択画面生成部２０６は、フォーカスされている動画コンテンツの再生開始を、コンテンツ再生部２０２に指示する（ＳＴ２０３）。このとき、選択画面生成部２０６は、フォーカスされている動画コンテンツのコンテンツＵＲＬを、メタデータ記憶部３０５から読み出し、該コンテンツＵＲＬをコンテンツ再生部２０２に通知することで、動画コンテンツの再生開始を指示する。
【００５７】
次に、選択画面生成部２０６は、方向指示を示す情報を取得したか否かを判定する（ＳＴ２０４）。方向指示を示す情報を取得したとき（ＳＴ２０４−Ｙｅｓ）、選択画面生成部２０６は、ＳＴ２０５に遷移する。方向指示を示す情報を取得してないとき（ＳＴ２０４−Ｎｏ）、選択画面生成部２０６は、方向指示を示す情報を取得するまで待機する。選択画面生成部２０６は、動画コンテンツ再生部２０２に、動画コンテンツの再生停止を指示する（ＳＴ２０５）。
【００５８】
選択画面生成部２０６は、方向指示を示す情報を取得したか否かを判定する（ＳＴ２０６）。方向指示を示す情報を取得したとき（ＳＴ２０６−Ｙｅｓ）、選択画面生成部２０６は、ＳＴ２０７に遷移する。方向指示を示す情報を取得してないとき（ＳＴ２０４−Ｎｏ）、選択画面生成部２０６は、ＳＴ２１０に遷移する。選択画面生成部２０６は、取得した方向指示を示す情報に従い、フォーカス位置を変更する（ＳＴ２０７）。
【００５９】
次に、選択画面生成部２０６は、変更されたフォーカス位置に基づき、選択画面を生成する（ＳＴ２０８）。このとき、選択画面生成部２０６は、フォーカスされている動画コンテンツのコンテンツ名と、該動画コンテンツと同じカテゴリーで順序が一つ前と後の動画コンテンツの代表画像とを、メタデータ記憶部３０５から読み出し、これらを用いて選択画面を生成する。次に、選択画面生成部２０６は、フォーカスされている動画コンテンツのダイジェスト映像の再生開始を、ダイジェスト再生部３０７に指示し（ＳＴ２０９）、ＳＴ２０１に戻る。選択画面生成部２０６は、ダイジェスト映像の再生が終了したか否かを判定する（ＳＴ２１０）。終了していないと判定したとき（ＳＴ２１０−Ｎｏ）、選択画面生成部２０６は、ＳＴ２０１に戻る。終了したと判定したとき（ＳＴ２１０−Ｙｅｓ）、選択画面生成部２０６は、ステップＳＴ２０７に遷移する。
【００６０】
図９は、選択画面生成部３０６が生成する選択画面と方向指示との関係を説明する図である。図９において、選択画面Ｇ１１、Ｇ１２、Ｇ２１、Ｇ２２は、それぞれ、動画コンテンツ１１、１２、２１、２２がフォーカスされているときの選択画面である。ここで、動画コンテンツ１１は、カテゴリー「１」、順序「１」であり、動画コンテンツ１２は、カテゴリー「１」、順序「２」であり、動画コンテンツ２１は、カテゴリー「２」、順序「１」であり、動画コンテンツ２２は、カテゴリー「２」、順序「２」である。
【００６１】
図９において、選択画面Ｇ１１、Ｇ１２、Ｇ２１、Ｇ２２の並びは、方向指示を受けたときの画面遷移に対応した並びとなっている。すなわち、選択画面Ｇ１１が表示されているときに、右方向が指示されると、選択画面Ｇ１２が表示される。同様に、選択画面Ｇ１１が表示されているときに、下方向が指示されると、選択画面Ｇ２１が表示される。また、選択画面Ｇ１２が表示されているときに、左方向が指示されると、選択画面Ｇ１１が表示され、選択画面Ｇ２１が表示されているときに、上方向が指示されると、選択画面Ｇ１１が表示される。
【００６２】
選択画面Ｇ１１では、フォーカスされている動画コンテンツ１１のダイジェスト映像ＤＧ１１が中央付近に、画像合成部３０８により合成される。ダイジェスト映像ＤＧ１１の下には、動画コンテンツ１１のコンテンツ名Ｔ１１が配置されている。選択画面Ｇ１１の左端には、左方向が指示されたときにフォーカスされる動画コンテンツの代表画像の右半分Ｄ１６が配置されている。選択画面Ｇ１１の右端には、右方向が指示されたときにフォーカスされる動画コンテンツの代表画像の左半分Ｄ１２が配置されている。その他の各選択画面Ｇ１２、Ｇ２１、Ｇ２２も、フォーカスされている動画コンテンツのダイジェスト映像と、コンテンツ名と、左方向が指示されたときにフォーカスされる動画コンテンツの右半分と、右方向が指示されたときにフォーカスされる動画コンテンツの左半分とを含んでいる。
【００６３】
なお、本実施形態では、動画コンテンツ再生装置２と、表示装置４とが別々の装置である場合を説明したが、これらの装置が一体となっていてもよい。また、本実施形態では、動画コンテンツ再生装置２と、コンテンツサーバ１とが別々の装置である場合を説明したが、これらの装置が一体となっていてもよい。また、本実施形態では、動画コンテンツを２次元（左右方向と上下方向）に、仮想的に配列し、選択画面の遷移を、該配列に従い決めるようにしたが、該配列の次元数は、１次元や３次元など、その他の次元数であってもよい。
【００６４】
このように、本実施形態の遠隔操作システム１０の遠隔操作装置３は、表示部３０９に選択画面を表示し、ダイジェスト映像を再生する。それによってユーザは、表示部３０９の上に設置されたタッチパネル３０１にフリック操作、長押し操作を行うことで、フォーカスする動画コンテンツを変更し、視聴したい動画を選択決定することができる。従って、遠隔操作装置３は、従来に比べて容易にユーザが再生したい動画コンテンツを、選択することができる。また、選択画像には、該動画コンテンツのダイジェスト映像を含むので、ユーザは、動画コンテンツの内容を容易に把握し、該動画コンテンツを視聴したいか否かを判定することができる。よって、ユーザが再生したい動画コンテンツを、フリック操作による方向指示のみで容易に選択することができる。
【００６５】
また、本実施形態の遠隔操作装置３は、タッチパネル３０１から入力された文字列を取得する文字列取得部３１０を備え、選択画面として表示部３０９に表示された複数の動画コンテンツは、該文字列を検索キーとした検索結果である。具体的には、遠隔操作装置３が取得した文字列を、動画コンテンツ再生装置２に文字列が送信すると、文字列記憶部２０８に該文字列が記憶される。メタデータ取得部２０４は、コンテンツサーバ１に該文字列を検索キーとしてメタデータを検索させ、該検索結果を取得してメタデータ記憶部２０５に記憶する。遠隔操作装置３のメタデータ取得部３０４は、メタデータ記憶部２０５に記憶された該メタデータを読み込み、メタデータ記憶部３０５に記憶する。選択画面生成部３０６は、メタデータ記憶部３０５に記憶されたメタデータに基づいて選択画面を生成する。また、選択画面生成部２０６は、メタデータ記憶部２０５に記憶されたメタデータに基づいて選択画面を生成する。従って、選択画面生成部２０６、選択画面生成部３０６それぞれによって生成された選択画面は、該文字列を検索キーとした検索結果となっている。
【００６６】
なお、本実施形態において、メタデータの検索はコンテンツサーバ１が行うが、これに限られない。例えば、遠隔操作装置３が、メタデータの検索を行うとしてもよいし、動画コンテンツ再生装置２が、メタデータの検索を行うとしてもよい。また、メタデータ取得部２０４は、文字列が文字列記憶部２０８に記憶される度に、コンテンツサーバ１から、メタデータを取得するが、これに限定されない。例えば、メタデータ取得部２０４は、動画コンテンツ再生装置２が、方向指示を示す情報を取得する度に、コンテンツサーバ１からメタデータを取得するとしてもよい。また、遠隔操作装置３のメタデータ取得部３０４は、動画コンテンツ再生装置２のメタデータ記憶部２０５からメタデータを読み取るとしたが、これに限定されない。例えば、遠隔操作装置３は、遠隔操作装置３から直接コンテンツサーバ１に文字列を検索キーとして出力し、メタデータを検索させ、検索結果をメタデータ取得部３０４が取得するとしてもよい。
【００６７】
また、本実施形態では、遠隔操作装置３は、動画コンテンツ再生装置２から、ダイジェスト映像を取得して再生したが、遠隔操作装置３が直接コンテンツサーバ１と通信することで、ダイジェスト映像を再生するとしてもよい。また、図３から図５における遠隔操作システム１０を構成する各部の機能を実現するためのプログラムをコンピュータ読み取り可能な記録媒体に記録して、この記録媒体に記録されたプログラムをコンピュータシステムに読み込ませ、実行することにより遠隔操作システム１０の実施を行ってもよい。なお、ここでいう「コンピュータシステム」とは、ＯＳや周辺機器等のハードウェアを含むものとする。
【００６８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６９】
以上、この発明の実施形態を、図面を参照して詳述してきたが、具体的な構成はこの実施形態に限られるものではなく、この発明の要旨を逸脱しない範囲の設計変更等も含まれる。
【産業上の利用可能性】
【００７０】
本発明は、多機能携帯電話端末及びテレビジョン受像器等に好適に用いられるが、これに限られない。
【符号の説明】
【００７１】
１・・・コンテンツサーバ
２・・・動画コンテンツ再生装置
３・・・遠隔操作装置
４・・・表示装置
５・・・ネットワーク
６・・・アクセスポイント
１０・・・遠隔操作システム
１０１・・・コンテンツ登録部
１０２・・・動画コンテンツ記憶部
１０３・・・ダイジェスト映像生成部
１０４・・・ダイジェスト映像記憶部
１０５・・・ストリーミング部
１０６・・・通信部
１０７・・・メタデータ記憶部
１０８・・・ファイル転送部
２０１・・・出力部
２０２・・・コンテンツ再生部
２０３・・・通信部
２０４・・・メタデータ取得部
２０５・・・メタデータ記憶部
２０６・・・選択画面生成部
２０７・・・ダイジェスト再生部
２０８・・・文字列記憶部
３０１・・・タッチパネル
３０２・・・操作取得部
３０３・・・通信部
３０４・・・メタデータ取得部
３０５・・・メタデータ記憶部
３０６・・・選択画面生成部
３０７・・・ダイジェスト再生部
３０８・・・画像合成部
３０９・・・表示部
３１０・・・文字列取得部
【図１】
2014199989.tif 000003
【図２】
2014199989.tif 000004
【図３】
2014199989.tif 000005
【図４】
2014199989.tif 000006
【図５】
2014199989.tif 000007
【図６】
2014199989.tif 000008
【図７】
2014199989.tif 000009
【図８】
2014199989.tif 000010
【図９】
2014199989.tif 000011